(57)【要約】【課題】揺れ感度を高くすることができる装身具を提供する。【解決手段】第２の装飾部構成部品７が第１の装飾部構成部品１の下側に位置する関係になる使用態様において相互に接触する連結金具５の内周部分５Ａ及び被連結金具１３の内周部分１３Ａの横断面形状を、それぞれ線状の稜線５Ｂまたは１３Ｂを備えた山形形状にしている。このように連結金具５の内周部分５Ａ及び被連結金具１３の内周部分１３Ａの横断面形状を、それぞれ線状の稜線５Ｂ及び１３Ｂを備えた山形形状とすると、線状の稜線５Ｂ及び１３Ｂ同士による実質的な線接触状態を得ることができる。その結果、連結金具５の内周部分５Ａ及び被連結金具１３の内周部分１３Ａの接触部の接触抵抗が小さくなって、従来よりも反射体９を備えた第２の装飾部構成部品７が微細に且つ鋭敏に揺れるようになって揺れ感度が高くなる。【選択図】図１
2009011535.tif 000002
【特許請求の範囲】
【請求項１】
弧状または環状の連結金具を備えた第１の装飾部構成部品と、弧状または環状の被連結金具及び光を反射する反射体が固定される反射体固定部を備えた第２の装飾部構成部品が、前記連結金具と前記被連結金具とが鎖交した状態に組み合わされて連結されてなる１以上の装飾部を備えた装身具であって、
前記第２の装飾部構成部品が前記第１の装飾部構成部品の下側に位置する関係になる使用態様において相互に接触する前記連結金具の内周部分及び前記被連結金具の内周部分の横断面形状が、それぞれ線状の稜線を備えた山形形状を有していることを特徴とする装身具。
【請求項２】
前記第２の装飾部構成部品は、その重心が、前記第２の装飾部構成部品が前記第１の装飾部構成部品の下側に位置するときに、前記第２の装飾部構成部品の中心位置よりも前記第１の装飾部構成部品寄りに位置するように構成されている請求項１に記載の装身具。
【請求項３】
前記反射体固定部の形状は、前記第２の装飾部構成部品の前記重心が、前記第２の装飾部構成部品の中心位置よりも前記第１の装飾部構成部品寄りに位置するように定められている請求項２に記載の装身具。
【請求項４】
環状の指輪部と、両端部が前記指輪部に結合され、前記指輪部の一部分が間に位置し且つ頂部が前記一部分よりも前記指輪部の径方向外側に位置するように間隔をあけて配置された一対のアーチ状支持部と、前記一対のアーチ状支持部にそれぞれ固定された一組以上の弧状または環状の一対の連結金具とを備えた第１の装飾部構成部品と、
前記一対の連結金具と鎖交する弧状または環状の一対の被連結金具と光を反射する反射体が固定される反射体固定部とを備えた１以上の第２の装飾部構成部品から構成される装飾部を備えた指輪型の装身具であって、
前記反射体固定部が前記指輪部の上側に位置する状態において相互に接触する前記一対の連結金具の内周部分及び前記一対の被連結金具の内周部分の横断面形状が、それぞれ線状の稜線を備えた山形形状を有していることを特徴とする指輪型の装身具。
【請求項５】
前記稜線の両側に位置する一対の傾斜面間の角度が、６０度〜９０度の範囲の角度である請求項１または２に記載の装身具。
【発明の詳細な説明】
【技術分野】
【０００１】
本発明は、ネックレスや指輪等の装身具に関するものである。
【背景技術】
【０００２】
特開２００５−５８３７１号公報（特許文献１）には、弧状または環状の連結金具を備えた第１の装飾部構成部品、弧状または環状の被連結金具及び光を反射する反射体を備えた第２の装飾部構成部品が、連結金具と被連結金具とが鎖交した状態に組み合わされて連結されている揺動式装身具が示されている。この従来の装身具では、反射体の輝きをできるだけ強調するために、第１の装飾部構成部品に対する第２の装飾部構成部品の揺れを大きくする目的で、第２の装飾部構成部品が第１の装飾部構成部品の下側に位置する関係になる使用態様において相互に接触する連結金具の内周部分及び被連結金具の内周部分の横断面形状を、それぞれ湾曲形状になるように定めている。
【特許文献１】特開２００５−５８３７１号公報
【発明の開示】
【発明が解決しようとする課題】
【０００３】
しかしながら、湾曲形状といっても、実際に製造可能な湾曲形状は、線接触や点接触になるような精度の高いものではない。そのため連結金具の内周部分及び被連結金具の内周部分の接触部は、実質的に面接触となっており、期待したほどの反射体の揺れを得ることはできなかった。
【０００４】
本発明の目的は、従来と比べて、反射体を備えた第２の装飾部構成部品の揺れ感度を高くすることができる装身具を提供することにある。
【課題を解決するための手段】
【０００５】
本発明が改良の対象とする装身具は、弧状または環状の連結金具を備えた第１の装飾部構成部品と、弧状または環状の被連結金具及び光を反射する反射体（例えば、ダイヤモンドまたは人工ダイヤモンド等）が固定される反射体固定部を備えた第２の装飾部構成部品が、連結金具と被連結金具とが鎖交した状態に組み合わされて連結されてなる１以上の装飾部を備えている。本発明においては、第２の装飾部構成部品が第１の装飾部構成部品の下側に位置する関係になる使用態様において相互に接触する連結金具の内周部分及び被連結金具の内周部分の横断面形状を、それぞれ線状の稜線を備えた山形形状とする。本発明のように、連結金具の内周部分及び被連結金具の内周部分の横断面形状を、それぞれ線状の稜線を備えた山形形状とすると、実質的な線接触状態を得ることができる。その結果、接触部の接触抵抗が小さくなって、従来よりも反射体を備えた第２の装飾部構成部品が微細に且つ鋭敏に揺れるようになって揺れ感度が高くなるという効果が得られる。
【０００６】
また第２の装飾部構成部品は、その重心が、第２の装飾部構成部品が第１の装飾部構成部品の下側に位置するときに、第２の装飾部構成部品の中心位置よりも第１の装飾部構成部品寄りに位置するように構成するのが好ましい。第２の装飾部構成部品の重心位置が第２の装飾部構成部品の中心位置よりも下に下がった位置にあると、遠心力が大きくなって第２の装飾部構成部品の揺れ幅が大きくなり、微細な揺れを発生し難い。これに対して、前述のように、第２の装飾部構成部品の重心を第２の装飾部構成部品の中心位置よりも第１の装飾部構成部品寄りに位置するように構成すると、第２の装飾部構成部品に働く遠心力は小さくなって、第２の装飾部構成部品を微細に揺らすことができて、揺れ感度を高めることが可能になる。
【０００７】
なお第２の装飾部構成部品の重心位置は、反射体の形状を変えることにより、前述のように定めることもできるが、一般的には反射体の形状を変えることができる余地は少ない。そこで反射体固定部の形状を、第２の装飾部構成部品の重心が、第２の装飾部構成部品の中心位置よりも第１の装飾部構成部品寄りに位置するように定めれば、反射体の形状のいかんにかかわらず重心位置を簡単に所望の位置に定めることができる。
【０００８】
本発明を指輪型の装身具に適用する場合には、第１の装飾部構成部品を、環状の指輪部と、両端部が指輪部に結合され、指輪部の一部分が間に位置し且つ頂部が前記一部分よりも指輪部の径方向外側に位置するように間隔をあけて配置された一対のアーチ状支持部と、一対のアーチ状支持部にそれぞれ固定された一組以上の弧状または環状の一対の連結金具とを備えた構造とする。そしてこの第１の装飾部構成部品と、一対の連結金具と鎖交する弧状または環状の一対の被連結金具と光を反射する反射体が固定される反射体固定部とを備えた１以上の第２の装飾部構成部品とから装飾部を構成する。この場合には、反射体固定部が指輪部の上側に位置する状態において相互に接触する一対の連結金具の内周部分及び一対の被連結金具の内周部分の横断面形状を、それぞれ線状の稜線を備えた山形形状にする。このようにすると、指輪タイプの装身具においては、二カ所で第２の装飾部構成部品が支持されることになるものの、その二カ所の支持部においても、それぞれ前述の線接触が形成されるため、反射体を備えた第２の装飾部構成部品が微細に且つ鋭敏に揺れるという効果が得られる。
【０００９】
なお稜線の両側に位置する一対の傾斜面は、揺れに対するストッパ面として機能することになる。そのため一対の傾斜面間の角度が大きくなると、揺れる角度が小さくなって、揺れ感度が鈍くなる。そこで稜線の両側に位置する一対の傾斜面間の角度を、６０度〜９０度とすると、必要な揺れ角と鋭敏な揺れ感度とを得ることができる。
【発明の効果】
【００１０】
本発明によれば、連結金具の内周部分及び被連結金具の内周部分の横断面形状を、それぞれ線状の稜線を備えた山形形状とすると、実質的な線接触状態を得ることができる。その結果、接触部の接触抵抗が小さくなって、従来よりも反射体を備えた第２の装飾部構成部品が微細に且つ鋭敏に揺れるようになって揺れ感度を高くすることができるという効果が得られる。
【発明を実施するための最良の形態】
【００１１】
図１（Ａ）乃至（Ｃ）は、ペンダントまたはイヤリング等の吊り下げるタイプの装身具に本発明を適用した実施の形態の一例の主要部の正面図、背面図及び右側面図を示している。これらの図において、符号１で示した部材は、基部３に弧状の連結金具５を備えた第１の装飾部構成部品である。図１では、基部３をブロック図で示してあるが、例えばネックレスであれば、この基部３はチェーンが装着される部分となり、イヤリングであればこの基部３は、耳に装着する装着具が取り付けられる部分となる。
【００１２】
また図１において、符号７で示した部材は、第１の装飾部構成部品１と連結されて、１つの装飾部を構成する第２の装飾部構成部品である。第２の装飾部構成部品７は、光を反射する反射体９（この例では、ダイヤモンドまたは人工ダイヤモンド等）が固定される金属製の反射体固定部１１を備えている。そして本実施の形態では、反射体固定部１１に環状の被連結金具１３が一体に設けられている。反射体固定部１１は、ダイヤモンド形状の反射体９を保持する３つの爪部１５〜１９を備えている。二つの爪部１５及び１７は、被連結金具１３の近傍に所定の間隔を開けて配置されており、残りの一つの爪部１９は、反射体９を間にして二つの爪部１５及び１７と対向する側に配置さている。本実施の形態では、二つの爪部１５及び１７が第１の装飾部構成部品１側に配置させているために、反射体固定部１１は、第１の装飾部構成部品１側に位置する領域部分の重量がその下側の領域部分の体積重量よりも重くなる。その結果、第２の装飾部構成部品７の重心は、第２の装飾部構成部品７が第１の装飾部構成部品１の下側に位置するときに、第２の装飾部構成部品７の中心位置よりも第１の装飾部構成部品１寄りに位置するようになっている。このようにすると連結金具５を中心にして揺れる第２の装飾部構成部品に働く遠心力は小さくなって、第２の装飾部構成部品を微細に揺らすことができ、揺れ感度を高めることが可能になる。
【００１３】
特に本実施の形態では、第２の装飾部構成部品７が第１の装飾部構成部品１の下側に位置する関係になる使用態様において相互に接触する連結金具５の内周部分５Ａ及び被連結金具１３の内周部分１３Ａの横断面形状を、それぞれ線状の稜線５Ｂまたは１３Ｂを備えた山形形状にしている。このように連結金具５の内周部分５Ａ及び被連結金具１３の内周部分１３Ａの横断面形状を、それぞれ線状の稜線５Ｂ及び１３Ｂを備えた山形形状とすると、線状の稜線５Ｂ及び１３Ｂ同士による実質的な線接触状態を得ることができる。その結果、連結金具５の内周部分５Ａ及び被連結金具１３の内周部分１３Ａの接触部の接触抵抗が小さくなって、従来よりも反射体９を備えた第２の装飾部構成部品７が微細に且つ鋭敏に揺れるようになって揺れ感度が高くなる。
【００１４】
上記実施の形態では、基部３が取付金具５の上部にあるが、図２に示すように、基部３′の側面に環状の取付金具５′を固定し、この取付金具５′に第２の装飾部構成部品７を吊すようにしてもよいのは勿論である。また上記実施の形態では、第２の装飾部構成部品７に設ける被取付金具を環状に構成している。これを弧状に構成してもよいのは勿論である。
【００１５】
なお図３に拡大して示すように、稜線５Ｂ及び１３Ｂの両側に位置する一対の傾斜面５Ｃ及び５Ｄ並びに１３Ｃ及び１３Ｄは、揺れに対するストッパ面として機能する。そのため一対の傾斜面間５Ｃ及び５Ｄ並びに１３Ｃ及び１３Ｄの角度θが大きくなると、揺れる角度が小さくなって、揺れ感度が鈍くなる。そこで稜線５Ｂ及び１３Ｂの両側に位置する一対の傾斜面間５Ｃ及び５Ｄ並びに１３Ｃ及び１３Ｄの角度θを、６０度〜９０度とすると、必要な揺れ角と鋭敏な揺れ感度とを得ることができる。ちなみに本実施の形態では、角度θを約７０度としている。  
図４は、本発明を指輪型の装身具に適用した場合の主要部の側面図である。この指輪型の装身具では、第１の装飾部構成部品２１が、環状の指輪部２３と、両端部が指輪部２３に結合され、指輪部２３の一部分２３Ａが間に位置し且つ頂部２５Ａ及び２７Ａがこの指輪部２３の一部分２３Ａよりも指輪部２３の径方向外側に位置するように間隔をあけて配置された一対のアーチ状支持部２５及び２７と、一対のアーチ状支持部２５及び２７とそれぞれ固定された一組以上の弧状または環状の一対の連結金具３１及び３３とを備えている。なお図４においては、主要部の表示を明確に見えるようにするために指輪部２３及び一対のアーチ状支持部２５及び２７の主要部分を破線で示してある。この例の一対のアーチ状支持部２５及２７は、指輪部２３に沿ってアーチが延びており、アーチ状支持部２５及び２７の両端が、指輪部２３の周方向に所定の間隔をあけた状態で指輪部２３の側面部に結合されている。
【００１６】
この例では、第２の装飾部構成部品３５は、一対の連結金具３１及び３３と鎖交する環状の一対の被連結金具３７及び３９と光を反射する反射体４１が固定される反射体固定部４３とを備えている。この例では、一対の連結金具３１及び３３とこれらに連結された１つの第２の装飾部構成部品３５とから一つの装飾部が構成されている。アーチ状支持部２５及び２７に沿って、複数組の一対の連結金具３１及び３３を配置し、これらの複数組の一対の連結金具３１及び３３に対して複数の第２の装飾部構成部品３５の一対の被連結金具３７及び３９を連結して、複数の装飾部を設けるようにしてもよいのは勿論である。
【００１７】
この例では、反射体固定部４３が指輪部２３の上側に位置する状態において相互に接触する一対の連結金具３１及び３３の内周部分３１Ａ及び３３Ａ及び一対の被連結金具３７及び３９の内周部分３７Ａ及び３９Ａの横断面形状を、それぞれ線状の稜線３１Ｂ及び３３Ｂ並びに３７Ｂ及び３９Ｂを備えた山形形状にする。このようにすると、指輪タイプの装身具においては、二カ所で第２の装飾部構成部品３５が支持されることになるものの、その二カ所の支持部においても、それぞれ前述の線接触が形成されるため、反射体４１を備えた第２の装飾部構成部品３５が微細に且つ鋭敏に揺れるという効果が得られる。
【００１８】
なお指輪部２３と交差するように二つのアーチ状支持部を指輪部の周方向に間隔を開けて配置し、アーチ状支持部の両端を指輪部の一対の側面にそれぞれ結合するようにしてもよいのは勿論である。
【図面の簡単な説明】
【００１９】
【図１】（Ａ）乃至（Ｃ）は、ペンダントまたはイヤリング等の吊り下げるタイプの装身具に本発明を適用した実施の形態の一例の主要部の正面図、背面図及び右側面図である。
【図２】基部の側面に環状の取付金具を固定する装身具に本発明を適用した場合の主要部の側面図である。
【図３】一対の傾斜面間の角度を示す拡大図である。
【図４】本発明を指輪型の装身具に適用した場合の主要部の側面図である。
【符号の説明】
【００２０】
１  第１の装飾部構成部品
３  基部
５  連結金具
７  第２の装飾部構成部品
９  反射体
１１  反射体固定部
１３  被連結金具
１５，１７，１９  爪部
２５，２７  アーチ状支持部
【図１】
2009011535.tif 000003
【図２】
2009011535.tif 000004
【図３】
2009011535.tif 000005
【図４】
2009011535.tif 000006